(57)【要約】【課題】トイレットペ―パ―の裁断には通常両手を必要とし、裁断後も次の取り口が見つかりにくく、又取り出しても二枚重ねが一枚となったりし、手の御不自由な方達や高齢者にとっては意外とやっかいな作業となる。  本発明は、これらの問題を解決する事を目的とする。【解決手段】本体の右ボタンを押す事により、モ―タ―を動力としたロ―ラ―がペ―パ―を挟み下方へ送り出す。必要量が出た点で左ボタンを押すと、電動動力によりカッタ―が働き裁断される。【選択図】図１
2016214808.tif 000002
【特許請求の範囲】
【請求項１】
電動による送り出しロ―ラ―でペ―パ―を送り出す事、特に駆動軸上にタイミング構造を設け、送り出しを間欠にすることにより手での引き出しも可能とし、ペ―パ―は圧抵かつ固定され、裁断は一つの動力を圧抵と裁断の二つの力に分散した電動式トイレットペ―パ―ホルダ―。
【発明の詳細な説明】
【技術分野】
【０００１】  本発明は、電動式トイレットペ―パ―ホルダ―に関するものである。
【背景技術】
【０００２】  従来、トイレットペ―パ―の裁断は、両手を必要とする。
【発明の概要】
【発明が解決しようとする課題】
【０００３】  トイレットペ―パ―の裁断には通常両手を必要とし、又裁断後も次の取り口が見つけにくく、見つかって取り出せても２枚重ねが１枚だけであったり等、手の不自由な方達や高齢者にとっては意外とやっかいな作業となる。
本発明は、以上の問題点を解決するためになされたものである。
【課題を解決するための手段】
【０００４】  本体の右ボタンを押すことにより、モ―タ―を動力としたロ―ラ―がペ―パ―を挟み下方へ送り出す。必要量が出た時点で本体の左ボタンを押すと、電動動力によりカッタ―が働き裁断される。
【発明の効果】
【０００５】  従来両手を必要とされていた操作が片手のみでも可能になり、手の不自由な方々や高齢者にとっても操作が容易になる。
【図面の簡単な説明】
【０００６】
【図１】  本発明の本体斜視図
【図２】  本発明のペ―パ―ロ―ル置部斜視図
【図３】  本発明の動力部斜視図
【図４】  本発明の裁断部斜視図
【図５】  本発明のペ―パ―ロ―ル置部斜視図
【図６】  本発明のペ―パ―ロ―ル置部斜視図
【図７】  本発明の動力部斜視図
【図８】  本発明の動力部斜視図
【図９】  本発明の裁断部斜視図
【図１０】  本発明の裁断部斜視図
【図１１】  本発明の裁断部斜視図
【図１２】  本発明の裁断部斜視図
【図１３】  本発明の裁断部斜視図
【図１４】  本発明のタイミングスイッチ斜視図
【発明を実施するための形態】
【０００７】以下、本発明の実施の形態を説明する。
本体（１）内部はペ―パ―ロ―ル置部（Ａ）、動力部（Ｂ）、裁断部（Ｃ）の３つからなる構造である。
ペ―パ―ロ―ル置部（Ａ）は本体（１）の上部に位置し、ロ―ル芯（２）はシャフト置（３）に設置されている。
ロ―ル芯（２）には金属製のシャフト（４）が貫通しており、シャフト（４）は両サイドに有るシャフト置（３）に置かれている。
シャフト置（３）は斜めに大きくカットされており、シャフト（４）の設置が容易である。シャフト置（３）下部にはガイドロ―ラ―（５）が有る。
動力部（Ｂ）は本体（１）下部後部に位置する。
動力部（Ｂ）の動力は、モ―タ―（６）ＡＣ−１００Ｖ毎分６０回転の低速ギアモ―タ―を使用する。
モ―タ―プ―リ―（７）から出る動力ベルト（８）は駆動軸プ―リ―（９）に掛かっている。駆動軸（１０）は駆動軸支え（１１）とそれに付く駆動軸支え板（１２）により固定されている。
駆動軸（１０）には左右一対のタイミング板（１３）と押し出し板（１４）が有る。このタイミング板（１３）には外側にロ―ラ―用プ―リ―（１５）が有り、ロ―ラ―ベルト（１６）は上部送り出しロ―ラ―（１７）と下部送り出しロ―ラ―（１８）を結ぶ。押し出し板（１４）はその後部に押し出し具（１９）が有り、押し出しワイヤ―（２０）に繋がる。押し出しワイヤ―（２０）は、カッタ―受レ―ル（２１）に固定されている。
上部送り出しロ―ラ―（１７）と下部送り出しロ―ラ―（１８）はスライド板（２２）により固定されている。
裁断部（Ｃ）は本体（１）下部前部に位置する。
裁断部（Ｃ）の最後部は、上部送り出しロ―ラ―受（２３）と下部送り出しロ―ラ―受（２４）が有り、送り出しロ―ラ―受け固定板（２５）で固定されている。裁断部（Ｃ）の動力には、ソレノイド（２６）ＡＣ−１００Ｖ・２Ｋｇを使用している。
動力は、動力伝達部固定台（２７）に有る動力伝達部ａ（２８）、動力伝達部ｂ（２９）、動力伝達部ｃ（３０）により、動力方向変換板（３１）に繋がる構造である。動力方向変換板（３１）に固定されている押し込みロ―ラ―（３２）は、押し込み具（３３）とカッタ―押し込み部（３４）に繋がる構造である。カッタ―押し込み部（３４）はカッタ―台（３５）にネジ止めされ、カッタ―（３６）もカッタ―台（３５）にネジ止めされている。カッタ―台（３５）は圧抵レ―ル（３７）の上部に置かれている。
圧抵レ―ル（３７）前面には圧抵板（３８）が有る。裁断部（Ｃ）の前面には電源用のボタンスイッチａ（３９）、ボタンスイッチｂ（４０）が有り、タイミングスイッチａ（４１）とタイミングスイッチｂ（４２）に繋がる構造である。
裁断部底面には裁断部底面横木（４３）が有り、側面には動力部（Ｂ）と裁断部（Ｃ）を繋ぐ接続具（４４）が有る。
本発明は以上のような構造である。
本発明を使用する時は、先ず上蓋を開けペ―パ―ロ―ル（４６）を本体（１）に装填する為に、裁断部底面横木（４３）を引く。
裁断部（Ｃ）が回転しつつ手前に移動し、同時にガイドロ―ラ―（５）も手前に移動して内部に広い口が開く。
ペ―パ―は取り口を手前にし、本体（１）下部へ５〜１０ｃｍ程長めに出しておく。
ペ―パ―ロ―ル（４６）はロ―ル芯（２）を通し、シャフト置き（３）に置く。開いた裁断部（Ｃ）を本体（１）に押し込むと、カチリと音がして固定される。上蓋を閉じれば装填は完了となる。
ボタンスイッチａ（３９）を押すとモ―タ―（６）が回り、モ―タ―（６）側面のモ―タ―プ―リ―（７）からの動力ベルト（８）により
駆動軸（１０）が回る。駆動軸（１０）には押し出し板（１４）とタイミング板（１３）が有り、タイミング板（１３）側面にあるロ―ラ―用プ―リ―（１５）からのロ―ラ―ベルト（１６）により、上部送り出しロ―ラ―（１７）と下部送り出しロ―ラ―（１８）が回る。駆動軸（１０）の回転により押し出し板（１４）が押し出し具（１９）を押し、押し出しワイヤ―（２０）を押し出す。押し出しワイヤ―（２０）は上部送り出しロ―ラ―（１７）と下部送り出しロ―ラ―（１８）の左右にあるスライド板（２２）を押し、上部送り出しロ―ラ―（１７）と下部送り出しロ―ラ―（１８）を上部送り出しロ―ラ―受（２３）と下部送り出しロ―ラ―受（２４）に圧抵する。押し出し板（１４）は半月状をしている為、上部送り出しロ―ラ―（１７）と下部送り出しロ―ラ―（１８）を間欠的に前後運動させる。従って、圧抵時にペ―パ―は上部送り出しロ―ラ―（１７）と下部送り出しロ―ラ―（１８）、上部送り出しロ―ラ―受（２３）と下部送り出しロ―ラ―受（２４）とに挟まれ下方へと送り出される。
ボタンスイッチａ（３９）を放しても、モ―タ―用のタイミングスイッチａ（４１）はＯＮである為、タイミングピン（４７）が上死点に至る迄モ―タ―（６）は回り続ける。そして、上死点でモ―タ―用のタイミングスイッチａ（４１）を押上げＯＦＦする。
送り出しを間欠的にする事で、ロ―ラ―の解放時にはペ―パ―は手での引き出しを可能にしている。
ボタンスイッチａ（３９）とタイミングスイッチａ（４１）の電気回路は三路である。タイミングスイッチａ（４１）が切れると同時に、もう一方のタイミングスイッチｂ（４２）が入る。
ボタンスイッチｂ（４０）を押すと裁断部（Ｃ）のソレノイド（２６）（ＡＣ−１００Ｖ，２Ｋｇ）が働き、圧抵レ―ル（３７）を押し込み圧抵板（３８）でペ―パ―を固定し、更にカッタ―（３６）を押し込み裁断する。
カッタ―（３６）の運動量は１２ｍｍ程である。
この距離で紙巾を一気に切る為には、ほぼ２Ｋｇ程の力を必要とするが、裁断を更に確実なものとする為にカッタ―（３６）の刃先は波状とし、まず先端部をペ―パ―に刺し込み横に切り開く形状とした。
又、圧抵板（３８）には、表面にゴム製の滑り止めを使用した。
本発明は、以上のような作用である。
【符号の説明】
【０００８】１  本体、Ａ  ペ―パ―ロ―ル置部、Ｂ  駆動部、Ｃ  裁断部、
２  ロ―ル芯、３  シャフト置、４  シャフト、５  ガイドロ―ラ―、
６  モ―タ―、７  モ―タ―プ―リ―、８  動力ベルト、
９  駆動軸プ―リ―、１０  駆動軸、１１  駆動軸支え、
１２  駆動軸支え板、１３  タイミング板、１４  押し出し板、
１５  ロ―ラ―用プ―リ―、１６  ロ―ラ―ベルト、
１７  上部送り出しロ―ラ―、１８  下部送り出しロ―ラ―、
１９  押し出し具、２０  押し出しワイヤ―、２１  カッタ―受けレ―ル、
２２  スライド板、２３  上部送り出しロ―ラ―受、
２４  下部送り出しロ―ラ―受、２５  送り出しロ―ラ―受固定板、
２６  ソレノイド、２７  動力伝達部固定台、２８  動力伝達部ａ，
２９  動力伝達部ｂ，３０  動力伝達部ｃ，３１  動力方向変換板、
３２  押し込みロ―ラ―、３３  圧抵レ―ル及びカッタ―押し込み具、
３４  カッタ―押し込み部、３５  カッタ―台、３６  カッタ―、
３７  圧抵レ―ル、３８  圧抵板、３９  ボタンスイッチａ，
４０  ボタンスイッチｂ，４１  タイミングスイッチａ、
４２  タイミングスイッチｂ、４３  裁断部底面横木、４４  接続具、
４６  ペ―パ―ロ―ル、４７  タイミングピン、４８  ガイドロ―ラ―支え、
４９  ガイドロ―ラ―押し込み具、５０  押し込み具固定板、
５１  送り出しベルト、５２  押し出しワイヤ―支え、５３  補強板、
５４  送り出しロ―ラ―受ベルト、
【図１】
2016214808.tif 000003
【図２】
2016214808.tif 000004
【図３】
2016214808.tif 000005
【図４】
2016214808.tif 000006
【図５】
2016214808.tif 000007
【図６】
2016214808.tif 000008
【図７】
2016214808.tif 000009
【図８】
2016214808.tif 000010
【図９】
2016214808.tif 000011
【図１０】
2016214808.tif 000012
【図１１】
2016214808.tif 000013
【図１２】
2016214808.tif 000014
【図１３】
2016214808.tif 000015
【図１４】
2016214808.tif 000016